(57)【要約】【課題】浮遊時の安定性を向上させるとともに、コーナリフレクタの変形を抑制することで、電波反射特性が維持できる水上標的を提供する。【解決手段】水上標的は、１５の正三角形と１の正五角形とから構成される多面体構造である。多面体構造の各辺は気柱１により形成される。正五角形が形成する面が底面となる。各正三角形が形成する１５面のうち１０面に対応して、コーナリフレクタ２が埋設されている。コーナリフレクタ２は互いに直交する三面により構成される。コーナリフレクタ２の各面は、金属繊維より形成されたメッシュ生地により形成される。【選択図】図３
2019078415.tif 000002
【特許請求の範囲】
【請求項１】
複数の三角形と１以上の三角形を除く多角形とから構成される多面体構造であり、
前記多面体構造の各辺は、気柱により形成され、
前記三角形が形成する面の一部又は全部には、コーナリフレクタが設置されており、
前記コーナリフレクタは互いに直交する三面により構成される
ことを特徴とする水上標的。
【請求項２】
前記気柱を膨張させる膨脹手段と、
前記気柱と、前記コーナリフレクタと、前記膨脹手段とを収納する収納体と
を備えることを特徴とする請求項１記載の水上標的。
【請求項３】
前記収納体は前記三角形を除く多角形を形成する気柱と接続されている
ことを特徴とする請求項２記載の水上標的。
【請求項４】
前記コーナリフレクタの各面は、金属繊維より形成されたメッシュ生地により形成される
を備えることを特徴とする請求項１〜３いずれか記載の水上標的。
【請求項５】
前記コーナリフレクタの各面は、編物生地により形成される
ことを特徴とする請求項４記載の水上標的。
【請求項６】
前記コーナリフレクタの各辺は、非伸縮性ロープにより形成され、
前記コーナリフレクタの各点は、伸縮性部材を介して、前記気柱に支持されている
ことを特徴とする請求項４又は５記載の水上標的。
【請求項７】
前記コーナリフレクタが設置されている三角形が形成する面に対応して、コーナリフレクタ開口部を覆う幕が設けられている
ことを特徴とする請求項１〜６いずれか記載の水上標的。
【請求項８】
自沈システムを備える
ことを特徴とする請求項１〜７いずれか記載の水上標的。
【請求項９】
前記自沈システムは、
制御指令に基づいて作動する第１バルブと、
所定圧未満になると作動する第２バルブと
を有することを特徴とする請求項８記載の水上標的。
【請求項１０】
前記多面体構造を形成する気柱は、気柱内部において連続している
ことを特徴とする請求項１〜９いずれか記載の水上標的。
【請求項１１】
互いに直交する三面により構成され、
各面は、金属繊維より形成されたメッシュ生地により形成される
ことを特徴とするコーナリフレクタ。
【請求項１２】
前記収納体が投下され、
前記膨脹手段が収納体の蓋を開け、
前記収納体は水面下に沈み、
前記膨脹手段が気柱を膨張させ、
前記気柱が浮上し、
前記三角形を除く多角形を底面として多面体構造が形成され、
請求項３記載の水上標的を形成する
ことを特徴とする水上標的形成方法
【発明の詳細な説明】
【技術分野】
【０００１】
本発明は、電波を反射するコーナリフレクタおよびコーナリフレクタを備えた水上標的に関する。
【背景技術】
【０００２】
飛翔体の性能試験、発射訓練又は爆撃訓練用等の標的として、コーナリフレクタを備えた水上標的が用いられる。コーナリフレクタは互いに直交する３つの電波反射面から形成される。電波反射面は直角二等辺三角形から形成される。したがって、コーナリフレクタは、底部が開放された三角錐状になる。入射した電波は、３つの電波反射面にて順次反射され、入射方向と反対方向に出射される。
【０００３】
一般に、水上標的は台船又は遠隔操縦可能なボートに電波又は赤外線等の光波を用いて艦船、航空機、飛翔体等から探知可能な反射体が備えられている。試験又は訓練水域は陸から離れた場所に限定され、水上標的をえい航船により標的設置場所までえい航するのに時間がかかるという不具合がある。
【０００４】
そのため、膨張式チューブや風船により形成された水上標的が提案されている。収納体に収納された水上標的を航空機又はヘリコプタ等により移動し、設置個所に投下する。投下の際チューブや風船が膨張して水上標的のフレームを形成する。さらに、フレーム内に折りたたまれたコーナリフレクタが展開し、電波反射面が所定位置に形成される（例えば特許文献１）。
【０００５】
一方で、膨張式チューブや風船により形成された水上標的に備えられるコーナリフレクタは剛性が低く、強風等により変形し、電波反射特性が悪くなるという課題があった。
【０００６】
これに対し特許文献２では、コーナリフレクタの開放面の３辺を二十面体から形成されるフレームに支持させるとともに、コーナリフレクタの頂点を二十面体内に設置された球体に支持させ、コーナリフレクタの変形を抑制している。
【先行技術文献】
【特許文献】
【０００７】
【特許文献１】特開平７−０１４６０９９号公報
【特許文献２】実開昭６１−１９５６１０号公報
【発明の概要】
【発明が解決しようとする課題】
【０００８】
しかしながら、膨張式チューブや風船により形成された水上標的は、浮遊時の安定性に改善の余地あり、その結果、電波反射特性が悪くなるという課題があった。
【０００９】
また、特許文献２の技術では、コーナリフレクタの剛性は向上するものの、強風等によりフレーム自体が変形すると、これに伴い、コーナリフレクタも変形し、電波反射特性が悪くなるという課題があった。
【００１０】
本発明は上記課題を解決するものであり、浮遊時の安定性を向上させるとともに、コーナリフレクタの変形を抑制することで、電波反射特性が維持できるコーナリフレクタおよび水上標的を提供することを目的とする。
【課題を解決するための手段】
【００１１】
上記課題を解決する本発明は、水上標的である。水上標的は、複数の三角形と１以上の三角形を除く多角形とから構成される多面体構造である。前記多面体構造の各辺は、気柱により形成される。前記三角形が形成する面の一部又は全部には、コーナリフレクタが設置されている。前記コーナリフレクタは互いに直交する三面により構成される。
【００１２】
三角形を除く多角形（例えば、四角形、五角形、六角形）が底面となることにより、浮遊時の安定性が向上している。
【００１３】
好ましくは、前記水上標的は、前記気柱を膨張させる膨脹手段と、前記気柱と前記コーナリフレクタと前記膨脹手段とを収納する収納体とを備える。
【００１４】
これにより、航空機又はヘリコプタ等により投下可能になる。
【００１５】
更に好ましくは、前記収納体は前記三角形を除く多角形を形成する気柱と接続されている。
【００１６】
これにより、多面体構造が形成される際、三角形を除く多角形（例えば、五角形等）が確実に底面となる。
【００１７】
好ましくは、前記コーナリフレクタの各面は、金属繊維より形成されたメッシュ生地により形成される。
【００１８】
これにより、コーナリフレクタの変形が抑制される。
【００１９】
更に好ましくは、前記コーナリフレクタの各面は、編物生地により形成される。
【００２０】
これにより、コーナリフレクタの変形が抑制される。
【００２１】
更に好ましくは、前記コーナリフレクタの各辺は、非伸縮性ロープにより形成され、前記コーナリフレクタの各点は、伸縮性部材を介して、前記気柱に支持されている
【００２２】
これにより、コーナリフレクタの変形が抑制される。
【００２３】
更に好ましくは、前記コーナリフレクタが設置されている三角形が形成する面に対応して、コーナリフレクタ開口部を覆う幕が設けられている。
【００２４】
これにより、コーナリフレクタの変形が抑制される。また、赤外線等の光波を反射するレーザ反射幕としても機能する。
【００２５】
好ましくは、前記水上標的は、自沈システムを備える。
【００２６】
更に好ましくは、前記自沈システムは、制御指令に基づいて作動する第１バルブと、所定圧未満になると作動する第２バルブとを有する。
【００２７】
第１バブルが動作すると、自動的に第２バルブが作動する。これにより、確実に自沈する。
【００２８】
また、第１バルブの数を少なくすることで、構成を簡素にし、故障を減らし、低コスト化を図る。
【００２９】
更に好ましくは、前記多面体構造を形成する気柱は、気柱内部において連続している。
【００３０】
これにより、より確実に自沈する。
【００３１】
上記課題を解決する本発明は、互いに直交する三面により構成され、各面は、金属繊維より形成されたメッシュ生地により形成されるコーナリフレクタである。
【００３２】
上記課題を解決する本発明は、水上標的形成方法である。前記収納体が投下され、前記膨脹手段が収納体の蓋を開け、前記収納体は水面下に沈み、前記膨脹手段が気柱を膨張させ、前記気柱が浮上し、前記三角形を除く多角形を底面として多面体構造が形成され、水上標的を形成する。
【発明の効果】
【００３３】
本発明にかかる水上標的では浮遊時の安定性が向上している。また、コーナリフレクタの変形が抑制される。その結果、電波反射特性が維持される。
【図面の簡単な説明】
【００３４】
【図１】水上標的外観構成図
【図２】水上標的外観構成図
【図３】水上標的主要構成図
【図４】コーナリフレクタ概念図
【図５】コーナリフレクタ詳細図
【図６】水上標的内部構成図
【図７】収納体外観構成図
【図８】収納体内部構成図
【図９】水上標的形成説明図
【図１０】自沈システム構成図
【図１１】自沈システム動作説明図
【図１２】低圧作動バルブ動作説明図
【図１３】多面体構造変形例
【発明を実施するための形態】
【００３５】
〜水上標的全体構成〜
図１および図２は、水上標的の外観構成図である。図１は略上方からみた斜視図であり、図２は略下方からみた斜視図である。図３は、水上標的の主要構成図である。
【００３６】
本実施形態の水上標的は、１５の正三角形と１の正五角形とから構成される多面体構造である。なお、本実施形態の多面体構造は正三角形から構成される正二十面体のうち、５つの正三角形を１つの正五角形に置き換えたものである。
【００３７】
多面体構造の各辺は気柱１により形成される。気柱はゴム製等のチューブを膨張することにより形成され、所定の剛性を維持する。各気柱１は内部において連続している。
【００３８】
各正三角形が形成する面に対応して、コーナリフレクタ２が埋設されている。本実施形態では、上方５面を除く１０面に１０のコーナリフレクタが埋設されている。
【００３９】
コーナリフレクタ２は、底部が開放された三角錐状である（図４および図５に対応する記載にて詳細後述）。気柱１が形成する正三角形面とコーナリフレクタ２が形成する三角錐状の開放面とが対応している。
【００４０】
気柱１が形成する正三角形面およびコーナリフレクタ２が形成する三角錐状の開放面に対向して、レーザ反射幕３（詳細後述）が設けられている。
【００４１】
気柱１が形成する正五角形面には、波除幕４が設けられている。波除幕４は、下方からの波の侵入を防止する。
【００４２】
〜浮遊時安定性〜
多面体構造において、正五角形が形成する面が底面となる。これにより、浮遊時の安定性が向上する。正五角形の中心から下方に収納ケース５（図７および図８に対応する記載にて詳細後述）がロープを介して連結されている。収納ケース５は所定の重量を有し、水上標的の浮力に対抗するように、錘として作用する。
【００４３】
また、正五角形の一端からアンカー６が連結されている。
【００４４】
さらに、正五角形面を形成する気柱１には水嚢７が設けられている。水嚢７はチューブに取り付けられ、内部に水が挿入される。水が挿入された水嚢７は、水上標的の浮力に対抗するように作用する。
【００４５】
〜コーナリフレクタ〜
図４は、コーナリフレクタ概念図である。コーナリフレクタ２は、互いに直交する３つの電波反射面から形成される。電波反射面は直角二等辺三角形から形成される。したがって、コーナリフレクタ２は、底部が開放された三角錐状になる。
【００４６】
コーナリフレクタ２に入射した電波は、３つの電波反射面にて順次反射され、入射方向と反対方向に出射される。このように、３つの電波反射面の直交位置を維持することにより、電波反射特性が維持される。
【００４７】
電波反射面は、金属繊維より形成されたメッシュ生地により形成される。
【００４８】
開口率が大きくなるほど軽量になるとともに、通気性が良くなる。その結果、自重による撓みが少なくなるとともに、風抵抗や波抵抗が少なくなり、電波反射面の変形が抑制され、電波反射面の直交性を維持できる。
【００４９】
なお、試作品では、Ecologa EuropeGmbHの電磁波シールド生地DALIを用いたが、充分な電波反射特性を確認できた。メッシュ開口は0.5×0.5ｍｍであった。
【００５０】
確実な軽量性や通気性を得るためには、メッシュ生地は開口率３０％以上、好ましくは開口率５０％以上であることが好ましい。ただし、開口サイズは、送信電波波長の半分以下であることが好ましい。これにより、メッシュ生地は電波反射面として機能する。
【００５１】
また、メッシュであることで、波浪による潮が付着しにくく、電波反射特性が劣化しにくい。
【００５２】
金属繊維は樹脂繊維を金属によりコーティングしたものを用いる。具体的にはナイロンに銀やニッケルを被覆する。金属を引き延ばして細線としてもよい。
【００５３】
生地は織地でも良いが、編地（ニット）であると尚良い。編地は伸縮性を有する。電波反射面として用いる場合、生地の自重による撓みが少ない。これにより、電波反射面の直交性を維持できる。
【００５４】
試作品では、生地を水平に張った時、正三角形の一辺の長さに対する自重による撓み量は、２％以下であった。また、この程度の撓みであれば電波反射特性に影響を与えないことを確認した。
【００５５】
生地が織地である場合、平織等でも良いが、蜂巣織であると尚良い。蜂巣織は伸縮性を有する。電波反射面として用いる場合、生地の自重による撓みが少ない。これにより、電波反射面の直交性を維持できる。
【００５６】
図５および図６は、コーナリフレクタの詳細図である。図５は、コーナリフレクタの支持状態を示し、図６は、コーナリフレクタ同士の関係を示す。
【００５７】
コーナリフレクタ２は三角錐（３つの直角二等辺三角形と１つの正三角形から形成される四面体、ただし正三角形は開放面である）構造である。四面体の各辺には、非伸縮性ロープ１１が沿う様に配設されている。非伸縮性ロープ１１には例えばダイニーマ（登録商標）ロープやケブラー（登録商標）ロープが用いられる。
【００５８】
コーナリフレクタ２の開放面側の３つの頂点には、伸縮性部材１２が連設されている。具体的には、各頂点において３つの非伸縮性ロープ１１と伸縮性部材１２とが連続している。伸縮性部材１２の他端は気柱１に支持されている。伸縮性部材１２は例えばゴム紐である。
【００５９】
コーナリフレクタ２の奥側頂点には、伸縮性部材１２が連設されている。具体的には、各頂点において３つの非伸縮性ロープ１１と伸縮性部材１２とが連続している。伸縮性部材１２の他端は丸リンク１３に連設されている。
【００６０】
丸リンク１３は多面体構造の略中心に配置される。丸リンク１３には、各コーナリフレクタ２の奥側頂点における伸縮性部材１２の他端が連設される。これにより丸リンク１３では、各伸縮性部材１２の張力が釣り合っている。
【００６１】
すなわち、各非伸縮性ロープ１１の両端には、伸縮性部材１２が連設されている。伸縮性部材１２に適度な張力を与えることにより、非伸縮性ロープ１１にも適度な張力が発生する。気柱１の変形およびコーナリフレクタ２自身の変形に対し、伸縮性部材１２が対応して伸縮する。これにより、各非伸縮性ロープ１１は撓むことがなく、常に同じ長さを維持する。
【００６２】
その結果、６本の非伸縮性ロープ１１により形成される四面体構造は常に維持される。言い換えると、コーナリフレクタ２の変形が抑制される。
【００６３】
〜レーザ反射幕〜
コーナリフレクタ２の開放面に対向して、レーザ反射幕３が設けられている。レーザ反射幕３は、気柱１が形成する正三角形の各頂点にそれぞれ支持される。
【００６４】
ただし、多面体構造を形成する際に、陰圧が発生しない様に、開口部を設け、完全に気柱１が形成する正三角形を密閉しないようにしている。その結果、レーザ反射幕３は、正三角形の頂点が欠けた形状（六角形）をしている。
【００６５】
レーザ反射幕３は、例えばナイロン繊維による織地である。
【００６６】
レーザ反射幕３は、風や波を通過させないことが好ましい。これにより、コーナリフレクタ２において、電波反射面の変形が抑制され、電波反射面の直交性を維持できる。また、コーナリフレクタ２において、波浪による潮が付着しにくく、電波反射特性が劣化しにくい。
【００６７】
レーザ反射幕３は、レーダ電波を透過するとともに、レーザを反射する。これにより、コーナリフレクタ２の機能を阻害することなく、レーザ反射幕として機能する。
【００６８】
〜収納ケース〜
図７は収納ケースの外観構成図である。収納ケース５は、例えば金属製の筺体であり、錘として作用するように所定の重量を有する。一方で、航空機又はヘリコプタ等に積載されるため、コンパクトであることが好ましい。
【００６９】
収納ケース５は２つのケース半体が互いに向かい合い、蓋をするように形成される。収納ケース５には、作動索１６やフォーク差込口１７が設けられている。
【００７０】
図８は収納ケース５の内部構成図である。
【００７１】
収納ケース５は、気柱１となるゴム製等のチューブと、コーナリフレクタ２と、レーザ反射幕３と、波除幕４と、高圧ガス容器１８とを収納する。
【００７２】
収納ケース５内において、気柱１となるゴム製等のチューブと、コーナリフレクタ２と、レーザ反射幕３と、波除幕４は折り畳まれて、浮舟体１９が形成されている。
【００７３】
高圧ガス容器１８と浮舟体１９（特にゴム製等のチューブ）とは耐圧ホースを介して連続している。
【００７４】
作動索１６が引かれると撃鉄が作動し、高圧ガス容器１８が開封される。
【００７５】
〜水上標的形成〜
図９は水上標的を形成する動作説明図である。
【００７６】
収納ケース５は航空機又はヘリコプタ等に積載され、標的設置個所まで移動し、投下される。なお、艦船の甲板、港湾の岸壁等プラットホームから投下してもよい。
【００７７】
ヘリコプタ等に懸吊された収納ケース５を投下すると、作動索１６が引かれ、撃鉄が作動し、高圧ガス容器１８が開封される。
【００７８】
浮舟体１９（特にゴム製等のチューブ）に高圧ガス（例えば炭酸ガス）が供給される。浮舟体１９の膨張圧により、収納ケース５の蓋が開かれる。
【００７９】
このとき、収納ケース５は一度水面下に沈む。収納ケース５と浮舟体１９は分離する。なお、波除幕４により確実に収納ケース５と浮舟体１９は分離する。
【００８０】
気柱１が膨張し、浮舟体１９は浮上する。このとき、多面体構造における正五角形の中心から下方に収納ケース５がロープを介して連結されており、浮力に対抗するように作用する。その結果、正五角形が形成する面が確実に底面となる。
【００８１】
底面が形成されるとともに、上方に伸びる気柱が形成され、多面体構造が形成される。
【００８２】
多面体構造の展帳動作とともに、コーナリフレクタ２と、レーザ反射幕３と、波除幕４はそれぞれ展開する。これにより、水上標的が形成される。
【００８３】
〜効果〜
本実施形態の効果について簡潔にまとめる。
【００８４】
多面体構造の展帳動作の際、正五角形が形成する面が確実に底面となる。五角形が底面となることにより、浮遊時の安定性が向上する。その結果、コーナリフレクタ２の変形が抑制される。
【００８５】
コーナリフレクタ２の電波反射面がメッシュ生地により形成されることにより、軽量になるとともに、通気性が良くなり、電波反射面の変形、つまり、コーナリフレクタ２の変形が抑制される。
【００８６】
コーナリフレクタ２の各辺は、非伸縮性ロープ１１により形成され、コーナリフレクタ２の各点は、伸縮性部材１２を介して、気柱１および丸リング１３に支持されている。気柱１の変形およびコーナリフレクタ２自身の変形に対し、伸縮性部材１２が対応して伸縮する。つまり、コーナリフレクタ２の変形が抑制される。
【００８７】
レーザ反射幕３は、風や波を通過させない。その結果、コーナリフレクタ２の変形が抑制される。
【００８８】
以上のようにコーナリフレクタ２の変形が抑制される結果、電波反射面の直交性を維持でき、電波反射特性が維持できる。つまり。レーダにより水上標的の位置を精度よく確認できる。
【００８９】
〜自沈システム構成〜
水上標的は飛翔体が衝突することにより破壊される。しかしながら、破壊に失敗したり、飛翔体の性能試験、発射訓練又は爆撃訓練等が中止になったりするおそれもある。その場合、水上標的を回収するが、天候や海況の悪化により回収できない場合に、水上標的が無用に浮遊し続けることは好ましくない。そのため、水上標的は自沈システムを備えていてもよい。
【００９０】
図１０は自沈システムの構成図である。自沈システムは、制御装置２１と制御バルブ２２（第１バルブ）と低圧作動バルブ２３（第２バルブ）とを有する。
【００９１】
制御装置２１と制御バルブ２２は、多面体構造の中段の気柱に少なくとも１つ設けられている。制御装置２１は、指令信号を受信するか、所定時間経過を判断すると、制御バルブ２２に作動信号を送信する。作動信号に基づき、制御バルブ２２は開かれ、気柱１内のガスが放出される。
【００９２】
低圧作動バルブ２３は、複数の気柱１に略均等に設けられている。所定圧力以下になると、自動的に作動し、低圧作動バルブ２３は開かれ、気柱１内のガスが放出される（図１２に対応する記載にて詳細後述）。
【００９３】
図１１は、自沈システムの動作説明図である。気柱１には高圧ガスが充填されており、所定の圧力が維持されている（図９参照）。
【００９４】
まず、制御装置２１からの指令に基づき、制御バルブ２２は開かれ、気柱１内のガスが放出される。これにより、気柱１内の圧力が徐々に低下する（図１１上段参照）。
【００９５】
所定圧力以下になると、低圧作動バルブ２３は開かれ、気柱１内のガスが放出される。低圧作動バルブ２３は複数均等配置されている為、気柱１内の圧力が急激に低下する（図１１中段参照）。
【００９６】
ところで、各気柱１は内部において連続している。すなわち、ガスの流れを妨げる隔壁等がない。これにより、各低圧作動バルブ２３から均等にガスが放出される。ガス溜まりが発生するおそれが少ない。また、低圧作動バルブ２３の一部が作動しない場合でも、確実に減圧できる。
【００９７】
気柱１内のガスがほとんど放出されると、水上標的は浮力を失い、収納ケース５の重みにより水面下に沈む（図１１下段参照）。
【００９８】
このように、自沈システムは、確実に短時間で水上標的を沈めることができる。
【００９９】
ここで、制御バルブ２２は少なくとも１つあればよく、制御装置２１からの配線を最短とすることができる。また、制御バルブ２２をなるべく少なくすることにより、故障のおそれが低い。さらに、制御バルブ２２をなるべく少なくすることにより、低コストとすることができる。
【０１００】
図１２は、低圧作動バルブ２３の動作説明図である。低圧作動バルブ２３は、連設されるバルブ２３Ａとバルブ２３Ｂとから構成される。
【０１０１】
バルブ２３Ａは第１閾値未満では開いており、第１閾値以上になると閉じる。
【０１０２】
バルブ２３Ｂは第２閾値（第１閾値より高い）未満では閉じており、第２閾値以上になると開く。バルブ２３Ｂは永久磁石を有し、一度開くと、永久磁石により開いた状態を維持する。
【０１０３】
収納ケース内では、低圧作動バルブ２３に圧力がほぼ作用しない（図７参照）。すなわち、第１閾値未満の場合、バルブ２３Ａは開き、バルブ２３Ｂは閉じている。すなわち、低圧作動バルブ２３は閉じている（ガスが放出されない）。
【０１０４】
気柱１に高圧ガスが供給され、第１閾値以上（第２閾値未満）になると、バルブ２３Ａは閉じる。一方、バルブ２３Ｂは閉じたままである。すなわち、低圧作動バルブ２３は閉じている。
【０１０５】
さらに、気柱１に高圧ガスが供給され、第２閾値以上になると、バルブ２３Ａは閉じたまま、バルブ２３Ｂが開く。すなわち、低圧作動バルブ２３は閉じている。更に、気柱１に高圧ガスが供給され、多面体構造が形成される（図９参照）。
【０１０６】
天候や海況の悪化により水上標的が回収できない場合は、自沈システムが動作する（図１１参照）。制御バルブ２２が開かれ、気柱１内の圧力が徐々に低下する。ただし、第２閾値未満となっても、バルブ２３Ｂは永久磁石により開いた状態を維持する。一方、更に圧力が下がり、第１閾値未満となると、再びバルブ２３Ａが開く。すなわち、低圧作動バルブ２３が開く。
【０１０７】
このように、自沈システム動作時において、低圧作動バルブ２３は第１閾値未満となると自動的に作動する。
【０１０８】
〜変形例〜
以上、本発明の一実施形態について説明したが、本発明は上記実施形態に限定されるものではなく、その技術思想の範囲内で種々の変形が可能である。
【０１０９】
本実施形態では、多面体構造は、１５の正三角形と１の正五角形とから構成される。ところで、遠距離入射であれば、電波はほぼ水平に近い角度から入射される。１５の正三角形のうち、上方５面におけるコーナリフレクタ２が使用される可能性は低い。
【０１１０】
そのため、上方５面においては、コーナリフレクタ２を設置しなくともよい。その結果、１５の正三角形のうち側面において１０のコーナリフレクタ２が埋設されている。
【０１１１】
図１３は、多面体構造の変形例又はコーナリフレクタ数の変形例である。
【０１１２】
図１３Ａは、１５の正三角形に対応して１５のコーナリフレクタ２が埋設されている。
【０１１３】
図１３Ｂの多面体構造は、１０の正三角形と２の正五角形とから構成される。１０の正三角形に対応して１０のコーナリフレクタ２が埋設されている。
【０１１４】
図１３Ｃの多面体構造は、１２の正三角形と１の正四角形とから構成される。１２の正三角形に対応して１２のコーナリフレクタ２が埋設されている。
【０１１５】
図１３Ｄの多面体構造は、１２の正三角形と１の正四角形とから構成される。１２の正三角形のうち側面において８のコーナリフレクタ２が埋設されている。
【０１１６】
図１３Ｅの多面体構造は、８の正三角形と２の正四角形とから構成される。８の正三角形に対応して８のコーナリフレクタ２が埋設されている。
【０１１７】
図１３Ｆの多面体構造は、４の正三角形と１の正四角形とから構成される。４の正三角形に対応して４のコーナリフレクタ２が埋設されている。
【０１１８】
図１３Ｇの多面体構造は、１２の正三角形と２の正六角形とから構成される。１２の正三角形に対応して１２のコーナリフレクタ２が埋設されている。
【０１１９】
いずれの変形例も浮遊時の安定性が向上する。また、あらゆる方向からの電波を反射できる。
【０１２０】
本実施形態では、飛翔体の性能試験、発射訓練又は爆撃訓練用等の水上標的として説明したが、救難ブイ又はデコイとして用いてもよい。
【符号の説明】
【０１２１】
１  気柱
２  コーナリフレクタ
３  レーザ反射幕
４  波除幕
５  収納ケース
６  アンカー
７  水嚢
１１  非伸縮性ロープ
１２  伸縮性部材
１３  丸リンク
１６  作動索
１７  フォーク差込口
１８  高圧ガス容器
１９  浮舟体
２１  制御装置
２２  制御バルブ（第１バルブ）
２３  低圧作動バルブ（第２バルブ）
【図１】
2019078415.tif 000003
【図２】
2019078415.tif 000004
【図３】
2019078415.tif 000005
【図４】
2019078415.tif 000006
【図５】
2019078415.tif 000007
【図６】
2019078415.tif 000008
【図７】
2019078415.tif 000009
【図８】
2019078415.tif 000010
【図９】
2019078415.tif 000011
【図１０】
2019078415.tif 000012
【図１１】
2019078415.tif 000013
【図１２】
2019078415.tif 000014
【図１３】
2019078415.tif 000015